(57)【特許請求の範囲】
【請求項１】
記録媒体からオーディオ信号を再生して出力する複数のプレーヤと、
上記オーディオ信号の記録再生を行う記録再生装置と、
上記複数のプレーヤおよび上記記録再生装置の動作モードを制御するシステム制御回路と、
キー入力部と、
表示部と、
オーディオ信号バスと、
制御信号バスと
を有し、
上記複数のプレーヤ、上記記録再生装置、上記キー入力部および上記表示部のそれぞれは、外部からの制御データにしたがって自分自身の動作モードを制御するとともに、上記自分自身の動作状態を示すステータスデータを出力する制御回路を有し、
上記複数のプレーヤのオーディオ信号出力ラインと、上記記録再生装置のオーディオ信号入力ラインおよびオーディオ信号出力ラインとが上記オーディオ信号バスに接続され、
上記複数のプレーヤ、上記記録再生装置、上記キー入力部および上記表示部のそれぞれにおける制御回路と、上記システム制御回路とが上記制御信号バスに接続され、
上記キー入力部により上記複数のプレーヤのうちの所定のプレーヤに対して再生が指示されたとき、上記所定のプレーヤに対してその再生を指示する制御データが、上記キー入力部の制御回路から上記制御バスを通じて上記システム制御回路に供給され、
この結果、上記システム制御回路から上記制御バスを通じて上記所定のプレーヤの制御回路に、その所定のプレーヤに再生モードへの遷移を指示する制御データが供給されて上記所定のプレーヤは再生モードとされるとともに、
上記所定のプレーヤの制御回路から上記制御バスを通じて上記表示部の制御回路に再生経過時間を示すステータスデータが供給されて上記表示部に上記再生経過時間が表示され、
上記キー入力部により上記複数のプレーヤのうちの１台を指定してダビングが指示されたとき、上記記録再生回路の制御回路において、上記制御バスをモニタすることにより上記指定したプレーヤの制御回路からその再生経過時間を示すステータスデータが上記表示部へと出力されているか否かがチェックされ、
このチェックの結果、上記再生経過時間を示すステータスデータが上記表示部へと出力されているときには、上記記録再生回路の制御回路において、上記再生経過時間を示すステータスデータに基づいて記録経過時間を示すステータスデータが作成され、
この記録経過時間を示すステータスデータが、上記記録再生回路の制御回路から上記制御バスを通じて上記表示部の制御回路に供給されて上記表示部に上記再生経過時間に同期して上記記録経過時間が表示される
ようにしたオーディオ装置。
【請求項２】
請求項１に記載のオーディオ装置において、
上記指定したプレーヤの再生が停止したとき、上記表示部に表示される上記再生の経過時間の更新を停止するとともに、上記表示部に表示される上記記録の経過時間の更新も停止する
ようにしたオーディオ装置。
【請求項３】
請求項２に記載のオーディオ装置において、
上記指定したプレーヤの再生を上記停止から再開したとき、上記表示部に表示される上記再生の経過時間の更新を上記停止から再開するとともに、上記表示部に表示される上記記録の経過時間の更新も上記停止から再開する
ようにしたオーディオ装置。
【発明の詳細な説明】
【０００１】
【発明の属する技術分野】
この発明は、ダビング機能を有するオーディオ装置に関する。
【０００２】
【従来の技術】
車載用のオーディオ装置などのように、システム化されたオーディオ装置において、多目的の表示装置を用意すれば、ＣＤの再生時には、図４Ａに示すように、その再生経過時間を表示することができ、さらに、ＣＤから再生されたオーディオ信号をＭＤに記録するときには、図４Ｂに示すように、ＣＤの再生経過時間と、ＭＤの記録経過時間とを同時に表示することができる。
【０００３】
【発明が解決しようとする課題】
ところが、図４Ｂに示すように、ＣＤの再生経過時間と、ＭＤの記録経過時間とを同時に表示する場合、再生経過時間が変化していないのに、記録経過時間が変化すると、ＣＤからオーディオ信号が再生されていないのに、ＭＤへの記録動作が進行しているように錯覚してしまう。
【０００４】
この発明は、このような点にかんがみ、オーディオ装置において、ダビング時における再生経過時間および記録経過時間についてユーザを錯覚させることがないようにしようとするものである。
【０００５】
【課題を解決するための手段】
このため、この発明においては、
記録媒体からオーディオ信号を再生して出力する複数のプレーヤと、
上記オーディオ信号の記録再生を行う記録再生装置と、
上記複数のプレーヤおよび上記記録再生装置の動作モードを制御するシステム制御回路と、
キー入力部と、
表示部と、
オーディオ信号バスと、
制御信号バスと
を有し、
上記複数のプレーヤ、上記記録再生装置、上記キー入力部および上記表示部のそれぞれは、外部からの制御データにしたがって自分自身の動作モードを制御するとともに、上記自分自身の動作状態を示すステータスデータを出力する制御回路を有し、
上記複数のプレーヤのオーディオ信号出力ラインと、上記記録再生装置のオーディオ信号入力ラインおよびオーディオ信号出力ラインとが上記オーディオ信号バスに接続され、
上記複数のプレーヤ、上記記録再生装置、上記キー入力部および上記表示部のそれぞれにおける制御回路と、上記システム制御回路とが上記制御信号バスに接続され、
上記キー入力部により上記複数のプレーヤのうちの所定のプレーヤに対して再生が指示されたとき、上記所定のプレーヤに対してその再生を指示する制御データが、上記キー入力部の制御回路から上記制御バスを通じて上記システム制御回路に供給され、
この結果、上記システム制御回路から上記制御バスを通じて上記所定のプレーヤの制御回路に、その所定のプレーヤに再生モードへの遷移を指示する制御データが供給されて上記所定のプレーヤは再生モードとされるとともに、
上記所定のプレーヤの制御回路から上記制御バスを通じて上記表示部の制御回路に再生経過時間を示すステータスデータが供給されて上記表示部に上記再生経過時間が表示され、
上記キー入力部により上記複数のプレーヤのうちの１台を指定してダビングが指示されたとき、上記記録再生回路の制御回路において、上記制御バスをモニタすることにより上記指定したプレーヤの制御回路からその再生経過時間を示すステータスデータが上記表示部へと出力されているか否かがチェックされ、
このチェックの結果、上記再生経過時間を示すステータスデータが上記表示部へと出力されているときには、上記記録再生回路の制御回路において、上記再生経過時間を示すステータスデータに基づいて記録経過時間を示すステータスデータが作成され、
この記録経過時間を示すステータスデータが、上記記録再生回路の制御回路から上記制御バスを通じて上記表示部の制御回路に供給されて上記表示部に上記再生経過時間に同期して上記記録経過時間が表示される
ようにしたオーディオ装置
とするものである。
したがって、ダビング時、表示部に、オーディオ信号の再生経過時間と、記録経過時間とが同時に表示されるとともに、それらの表示内容は同期して更新される。
【０００６】
【発明の実施の形態】
図１において、符号１０〜６０はそれぞれオーディオ信号の信号源を示し、一例として、信号源１０はＣＤプレーヤ、信号源２０はＭＤプレーヤ、信号源３０はＣＤチェンジャ（チェンジャ機能を有するＣＤプレーヤ）、信号源４０はＭＤチェンジャ（チェンジャ機能を有するＭＤプレーヤ）、信号源５０はカセットテーププレーヤ、信号源６０はＦＭ／ＡＭチューナである。
【０００７】
そして、これらの信号源１０〜６０はそれぞれユニット化されているとともに、それぞれが例えばマイクロコンピュータにより構成されたシステム制御回路（図示せず）を有し、外部からの制御データにしたがって信号源の動作モードを制御したり、信号源の動作状態などを示すステータスデータを外部に出力したりするように構成されている。
【０００８】
さらに、符号７０はマスタユニットを示し、このマスタユニット７０により信号源１０〜６０の動作モードが制御されるとともに、信号１０〜６０からのオーディオ信号が処理されてスピーカ９Ｌ、９Ｒに供給されるものである。
【０００９】
このため、マスタユニット７０は、アナログオーディオ信号バス７Ａと、制御データデータバス７Ｃとを有し、信号源１０〜６０のオーディオ信号の出力ラインがアナログ信号バス７Ａに接続されるとともに、信号源１０〜６０のシステム制御回路が制御データバス７Ｃに接続される。
【００１０】
さらに、マスタユニット７０は、コントロールアンプ７１、出力アンプ７２およびＭＤ記録再生装置７３を有する。この場合、コントロールアンプ７１は、オーディオ信号バス７Ａに接続されてオーディオ信号が供給されるとともに、この供給されたオーディオ信号に対して、音量調整用のレベル制御、イコライザ処理あるいはトーンコントロール処理などを実行し、その処理結果のオーディオ信号を出力アンプ７２を通じてスピーカ９Ｌ、９Ｒに供給する。
【００１１】
また、ＭＤ記録再生装置７３は、オーディオ信号の記録再生メディアとしてミニディスクを使用するものであり、そのオーディオ信号の入力ラインおよび出力ラインがコントロールアンプ７１に接続され、記録時、コントロールアンプ７１から供給されるオーディオ信号をミニディスクに記録するとともに、その記録モニタ用のオーディオ信号をコントロールアンプ７１に出力する。
【００１２】
さらに、マスタユニット７０は、キー入力部７４および表示部７５を有する。この場合、キー入力部７４は、操作キーとなるプッシュスイッチおよびキーインターフェイス回路により構成され、表示部７５は、例えばＬＣＤおよびそのディスプレイコントローラにより構成される。
【００１３】
そして、信号源１０〜６０と同様、手段７１、７３〜７５も、例えばマイクロコンピュータにより構成されたシステム制御回路（図示せず）を有するとともに、そのシステム制御回路は制御データバス７Ｃに接続され、制御データバス７Ｃからの制御データにしたがって自分自身の動作モードを制御したり、自分自身の動作状態などを示すステータスデータを制御データバス７Ｃに出力したりするように構成されている。
【００１４】
さらに、マスタユニット７０は、マイクロコンピュータにより構成されたシステム制御回路７６を有するとともに、このシステム制御回路７６は制御データバス７Ｃに接続され、信号源１０〜６０および手段７１、７３、７５に制御データを送信して動作を制御したり、信号源１０〜６０および手段７１、７３、７４からのステータスデータを受信して処理を実行するように構成されている。
【００１５】
図２は、制御データおよびステータスデータのフォーマットの一例を示すもので、先頭のデータ部分がその制御データの送信元を示すデータSSとされ、続くデータ部分がその制御データの送信先を示すデータDDとされ、残るデータ部分が送信先に送るべき本文のデータHNBNとされる。また、ステータスデータも同じデータフォーマットとされる。
【００１６】
したがって、例えば、システム制御回路７６がＣＤプレーヤ１０を再生モードに制御する場合であれば、制御データは、送信元データSSがシステム制御回路７６を示す内容とされるとともに、送信先データDDがＣＤプレーヤ１０を指定する内容とされ、本文データHNBNが再生モードへの遷移を指示するデータとされる。
【００１７】
そして、信号源１０〜６０および手段７１、７３〜７６は、制御データあるいはステータスデータを受信すると、その送信先データDDが自分を指定しているかどうかを判断し、自分を指定していないときには、原則としてその制御データあるいはステータスデータを無視するが、自分を指定しているときには、続く本文データHNBNの示す内容を有効とみなし、対応する処理を実行する。
【００１８】
なお、以下の説明においては、例えば、「システム制御回路７６から、送信元データSSがシステム制御回路７６を示すとともに、送信先データDDがＣＤプレーヤ１０を指定し、本文データHNBNが再生モードへの遷移を指示する制御データが出力される」を、「システム制御回路７６からＣＤプレーヤ１０に再生モードへの遷移を指示する制御データが供給される」のように、簡略化して表記する。すなわち、「データSSの示す手段から（制御データバス７Ｃを通じて）データDDの示す手段に、データHNBNの示す内容の制御データあるいはステータスデータが供給される」のように略記する。
【００１９】
さらに、信号源１０〜６０は、再生モードに遷移したときには、再生したオーディオ信号をオーディオ信号バス７Ａに出力するが、再生モード以外の動作モードに遷移したときには、オーディオ信号バス７Ａを信号的に切り放し、オーディオ信号バス７Ａから見て負荷にならないようにされている。また、信号源１０〜６０の再生中には、その信号１０〜６０からステータスデータとして本文データHNBNが再生経過時間などを示すデータが出力される。
【００２０】
また、キー入力部７４が操作されたときの、その操作されたキーを示すデータおよび表示部７５が表示を行うときの表示内容のデータも、ステータスデータおよび制御データにより、キー入力部７４および表示部７５と、システム制御部７６との間でやりとりされる。
【００２１】
さらに、ＭＤ記録再生装置７３のシステム制御回路（マイクロコンピュータ）には、これが実行するプログラムの一部として、例えば図３に示す表示ルーチン１００が用意される。
【００２２】
このような構成によれば、通常の再生およびＭＤへのダビングは、次のように行われる。
【００２３】
〔通常の再生〕
ここでは、通常の再生として、ＣＤプレーヤ１０によりＣＤを再生する場合を例にとって説明する。
【００２４】
キー入力部７４により、ＣＤプレーヤ１０におけるＣＤの再生を指示すると、このＣＤの再生を指示する制御データがキー入力部７４から制御データバス７Ｃを通じてシステム制御回路７６に供給され、この結果、システム制御回路７６から制御データバス７Ｃを通じてＣＤプレーヤ１０に再生モードへの遷移を指示する制御データが供給される。
【００２５】
すると、この制御データにしたがって、ＣＤプレーヤ１０は再生モードとなり、オーディオ信号が再生されるとともに、そのオーディオ信号がオーディオ信号バス７Ａを通じてコントロールアンプ７１に供給される。なお、このとき、他の信号源２０〜６０は、自分宛ての制御データではなかったので、再生モードにならないとともに、信号的にオーディオ信号バス７Ａを切り放している。
【００２６】
したがって、ＣＤプレーヤ１０から出力されたオーディオ信号は、コントロールアンプ７１において処理されてから出力アンプ７２を通じてスピーカ９Ｌ、９Ｒに供給されることになり、スピーカ９Ｌ、９ＲからはＣＤプレーヤ１０により再生されたオーディオ信号の再生音が出力される。なお、このとき、キー入力部７４を操作すると、コントロールアンプ７１において、音量調整などが実行される。また、キー入力部７４において、ＣＤプレーヤ１０のＣＤ再生に関係するキー操作を行ったときには、ＣＤプレーヤ１０は対応する動作モードに制御される。
【００２７】
さらに、この再生中、ＣＤプレーヤ１０から表示部７５に再生経過時間を示すステータスデータが例えば１秒ごとに供給され、この結果、表示部７５には、例えば図４Ａに示すように、ＣＤプレーヤ１０のＣＤの再生経過時間が、例えば１秒ごとに更新して表示される。こうして、ＣＤプレーヤ１０によりＣＤの再生を行うと、その再生経過時間が表示部７５に表示される。
【００２８】
また、同様にして、信号源２０〜６０の再生した（受信した）オーディオ信号を選択し、その再生音をスピーカ９Ｌ、９Ｒから出力することができる。
【００２９】
〔再生オーディオ信号のＭＤへのダビング〕
ここでは、再生オーディオ信号のＭＤへのダビングとして、ＣＤプレーヤ１０によりＣＤを再生してＭＤ記録再生装置７３によりＭＤに記録する場合を例にとって説明する。
【００３０】
キー入力部キー入力部７４の操作により再生装置としてＣＤプレーヤ１０を指定してダビングを指示すると、システム制御回路７６から表示部７５に表示モードの変更を指示する制御データが供給され、例えば図４Ｂに示すように、表示部７５は、上半分および下半分に再生経過時間および記録経過時間を表示する状態とされる。
【００３１】
また、システム制御回路７６からＭＤ記録再生装置７３に表示ルーチン１００の実行を指示する制御データが供給され、この結果、ＭＤ記録再生装置７３のシステム制御回路において、表示ルーチン１００の処理がステップ１０１からスタートする。続いて、ステップ１０２において、制御データバス７Ｃをモニタすることにより、ＣＤプレーヤ１０の再生経過時間を示すステータスデータがＣＤプレーヤ１０から表示部７５へと出力されているかどうかがチェックされる。
【００３２】
そして、再生経過時間を示すステータスデータが出力されていないときには、処理はステップ１０２からステップ１０３に進み、このステップ１０３において、記録経過時間の更新を待機する状態となり、その後、処理はステップ１０２に戻る。
【００３３】
したがって、ＣＤプレーヤ１０の再生経過時間を示すステータスデータがＣＤプレーヤ１０から表示部７５へと出力されていない期間には、表示部７５における再生系経過時間の更新が停止するとともに、記録経過時間の更新も停止している。また、ＣＤプレーヤ１０から再生経過時間のステータスデータの出力されたかどうかが、ステップ１０２においてチェックされている。
【００３４】
さらに、ダビングが指示されると、上述の〔通常の再生〕の場合のようにしてＣＤプレーヤ１０におけるＣＤの再生が開始され、その再生されたオーディオ信号がオーディオ信号バス７Ａに出力され、コントロールアンプ７１に供給されるようになる。また、ＣＤプレーヤ１０から表示部７５に再生経過時間を示すステータスデータが供給され、図４Ｂに示すように、表示部７５の上半分には再生経過時間が表示される。
【００３５】
そして、ＣＤプレーヤ１０から表示部７５に再生経過時間を示すステータスデータが供給されると、これが表示ルーチン１００のステップ１０２において判別され、処理はステップ１０２からステップ１１１に進み、このステップ１１１において、ＣＤプレーヤ１０から出力される再生経過時間が、前回受信した再生経過時間と比べて更新されているかどうか、すなわち、例えば、前回受信した再生経過時間の１秒後の値になっているかどうかが判別される。そして、更新されていないときには、ステップ１１１が繰り返される。こうして、ＣＤプレーヤ１０から更新された再生経過時間が出力されるまで、ステップ１１１が繰り返される。
【００３６】
そして、ＣＤプレーヤ１０からの再生経過時間が更新されると、処理はステップ１１１からステップ１１２に進み、このステップ１１２において、表示部７５の下半分に表示されている記録経過時間が更新され、すなわち、例えば、１秒だけインクリメントされる。続いて、ステップ１１３において、記録が継続しているかどうかが判別され、継続しているときには、処理はステップ１１３からステップ１１４に進み、このステップ１１４において、ＣＤプレーヤ１０からシステム制御回路７６に再生が停止したことを示すステータスデータが供給されたかどうかがチェックされ、供給されていないときには、処理はステップ１１４からステップ１１１に戻る。
【００３７】
したがって、以後、ステップ１１１〜１１４が繰り返され、表示部７５における再生経過時間の表示が例えば１秒ごとに更新されていくとともに、これに同期して表示部７５における記録経過時間の表示も例えば１秒ごとに更新されていく。
【００３８】
なお、例えば、ダビング中にＣＤの目的とするトラックのすべての再生を終了し、他のＣＤの再生に切り換える場合、あるいはＣＤチェンジャ３０を使用していて再生するＣＤが切り換えられる場合、すなわち、再生するＣＤの変更により再生が一時停止する場合、その再生側の信号源からＭＤ記録再生装置７３に再生の一時停止を示すステータスデータが供給されてＭＤ記録再生装置７３は一時停止モードとなるとともに、表示部７５に再生の停止を示すステータスデータが供給され、これにより例えば図４Ｃに示すように、再生経過時間の更新は停止されるとともに、このステータスデータがステップ１１４において判別され、処理はステップ１１４からステップ１０２に戻る。
【００３９】
したがって、以後、次のＣＤの再生が開始されまで、ＭＤ記録再生装置７３の記録が停止し、再生経過時間の更新が停止しているとともに、記録経過時間の更新も停止している。
【００４０】
そして、次のＣＤの再生が開始されると、これがＭＤ記録再生装置７３に通知されて記録が再開されるとともに、再生経過時間の更新および記録経過時間の更新も再開される。したがって、ＣＤの切り換え時も、再生経過時間の表示と、記録経過時間の表示とは、同期して更新されることになる。
【００４１】
また、キー入力部７４からダビングの終了を指示するキー操作を行うと、これがステータスデータによりシステム制御回路７６に通知され、その結果、システム制御回路７６からＭＤ記録再生装置７３に記録の終了を指示する制御データが供給され、ＭＤ記録再生装置７３は停止モードに遷移する。
【００４２】
さらに、この記録の終了がステップ１１３において判別され、表示ルーチン１００の処理はステップ１１３からステップ１２１に進み、この表示ルーチン１００を終了する。
【００４３】
以上のようにして、図１の装置によれば、ダビング時における再生装置の再生経過時間と記録装置における記録経過時間とを同時に表示でき、ダビングを行っていることを視覚的に知らせることができるとともに、その表示を同期させることができ、再生経過時間および記録経過時間についてユーザを錯覚させることがない。
【００４４】
なお、上述においては、ＭＤ記録再生装置７３がマスタユニット７０に内蔵されている場合であるが、マスタユニット７０に外付けであってもよい。また、再生用の信号源の数および記録用の信号源の数も任意である。
【００４５】
【発明の効果】
この発明によれば、ダビング時における再生装置の再生経過時間と記録装置における記録経過時間とを同時に表示でき、ダビングを行っていることを視覚的に知らせることができるとともに、その表示を同期させることができ、再生経過時間および記録経過時間についてユーザを錯覚させることがない。
【図面の簡単な説明】
【図１】この発明の一形態を示す系統図である。
【図２】この発明の一形態を示すフローチャートである。
【図３】この発明を説明するための図である。
【図４】この発明を説明するための図である。
【符号の説明】
７Ａ…オーディオ信号バス、７Ｃ…制御データバス、９Ｌおよび９Ｒ…スピーカ、１０〜６０…信号源、７０…マスタユニット、７１…コントロールアンプ、７２…出力アンプ、７３…ＭＤ記録再生装置、７４…キー入力部、７５…表示部、７６…システム制御回路、１００…表示ルーチン
【図１】
0004264561.tif 000002
【図２】
0004264561.tif 000003
【図３】
0004264561.tif 000004
【図４】
0004264561.tif 000005